(57)【要約】【課題】  画像データに対する補正作業を迅速に行えることで、作業効率の向上を図れる画像処理装置を提供する。【解決手段】  本発明は、それぞれ異なる複数の補正項目からなる補正グループと該補正グループを一意に識別する識別情報とを含むグループ情報を複数有するグループ補正テーブルを備え、前記グループ補正テーブルの所望するグループ情報に係る補正内容を選択した画像データに一括して反映できることを特徴とする。【選択図】  図４
2005333230.tif 000002
【特許請求の範囲】
【請求項１】
記憶手段に記憶している１又は複数の画像データを読み出して１画面上に表示し、該画面を介してユーザが選択した画像データに所望の補正を行える画像処理装置において、
それぞれ異なる複数の補正項目からなる補正グループと該補正グループを一意に識別する識別情報とを含むグループ情報を複数有するグループ補正テーブルを備え、
前記グループ補正テーブルの所望するグループ情報に係る補正内容を選択した画像データに一括して反映できることを特徴とする画像処理装置。
【請求項２】
前記グループ補正テーブルの内容を確認できるグループ補正設定画面を表示できることを特徴とする請求項１に記載の画像処理装置。
【請求項３】
前記グループ補正テーブルの各グループ情報に係る補正内容を適宜変更できることを特徴とする請求項１又は２に記載の画像処理装置。
【請求項４】
前記グループ補正設定画面を介して各グループ情報に係る補正内容を各補正項目毎に個別に変更できることを特徴とする請求項２又は３に記載の画像処理装置。
【請求項５】
前記グループ補正テーブルの所望するグループ情報に係る補正内容を選択した画像データに係る補正内容に一括して変更できることを特徴とする請求項１から４の何れかに記載の画像処理装置。
【請求項６】
前記グループ情報に係る補正内容を一括反映する対象として複数の画像データを選択できることを特徴とする請求項１に記載の画像処理装置。
【請求項７】
前記グループ補正テーブルは、各グループ情報に係る補正項目それぞれについて有効とするか否かを選択可能に構成されてなることを特徴とする請求項１から６の何れかに記載の画像処理装置。
【発明の詳細な説明】
【技術分野】
【０００１】
本発明は、画像データに対して色濃度補正等の各種補正を行う画像処理装置に関する。
【背景技術】
【０００２】
近年、ラボ（写真店）においては、写真フィルムや各種メディア等から読み込んだ画像データに対して色濃度補正やコントラスト補正等のデジタル画像処理を施し、該処理後の画像データをプリントしたり、各種メディアに記録できる写真処理装置（画像処理装置）が普及しつつある。
【０００３】
かかる画像処理装置は、通常、ＧＵＩ（グラフィカル・ユーザ・インタフェース）を備えており、複雑になりがちなデジタル画像処理に係る操作を容易にするための環境をユーザに提供している。
【０００４】
デジタル画像処理用のＧＵＩとしては、いわゆる「フォトレタッチ」といわれるアプリケーションソウトウェアがよく知られている。図３は、従来のフォトレタッチの操作画面の一例を示している。図３の操作画面（いわゆる「ジャッジ画面」）では、カラーネガフィルム等から読み込まれた画像データ（コマ画像３１）を６コマ分（２行×３列）、一覧（インデックス）表示している。
【０００５】
各コマ画像３１の下側には補正ボタンエリア３２が設けられ、該補正ボタンエリア３２内には、色補正ボタン兼色補正表示部（以下単に色補正ボタンという）３３ｙ，３３ｍ，３３ｃ、濃度補正ボタン兼濃度補正表示部（以下単に濃度補正ボタンという）３３ｄ及びＤＳＡボタン３４が配置（表示）されている。
【０００６】
色補正ボタン３３ｙ、３３ｍ，３３ｃは、対応するコマ画像３１のそれぞれイエロー（Ｙ）成分、マゼンタ（Ｍ）成分、シアン（Ｃ）成分（以下、単に「Ｙ」、「Ｍ」、「Ｃ」という）を補正するためのボタンであり、濃度補正ボタン３３ｄは、画像の濃度（以下、単に「Ｄ」という）を補正するためのボタンである。また、ＤＳＡボタン３４は、対応するコマ画像のＤＳＡ（デジタル・シーン・アジャストメントの略。コントラスト、彩度、シャープネス等の補正の総称。）を調整するためのボタンである。
【０００７】
以上の各ボタンの操作方法を説明すると、まず、色補正ボタン３３ｙ，３３ｍ，３３ｃ及び濃度補正ボタン３３ｄについては、補正対象となるコマ画像３１に対応するボタンにマウスカーソル（ポインタＰ）を移動させクリックすると当該ボタンが反転表示し、補正を受け付ける状態（アクティブ状態）となる。かかる状態で、例えば、キーボード上の「↑」キーを押操作すると、その回数毎に当該ボタンに対応する色補正値又は濃度補正値を１段階ずつ増加させることができ、「↓」キーを押操作することで、色補正値又は濃度補正値を１段階ずつ減少させることができる。補正値を変更させると、対応するコマ画像３１にその内容（補正値に応じた色成分又は濃度の増減）が反映される。そして、補正を行ったボタンについては、その変更した補正値が当該ボタン上に表示される（例えば、”−１”、”１”等）。尚、”Ｎ”は、デフォルト状態（補正前状態）を示している。
【０００８】
また、ＤＳＡの調整については、補正対象となるコマ画像３１に対応するＤＳＡボタン３４にポインタＰを移動させ、クリックすると、今度は、図６に示すＤＳＡ設定画面がポップアップ表示される。ＤＳＡ設定画面は、図６に示すように「コントラスト」、「彩度」、「シャープネス」の各項目毎に補正値の入力が可能となっており、ユーザは、マウスあるいはキーボード等によって、各項目の補正値を入力することができる。対象となるコマ画像３１には、入力した各補正値の内容が直ちに反映されるので、ユーザは、当該コマ画像３１を見ながら、各項目の補正値を設定できる。ＤＳＡ調整後、「ＹＥＳ．ＯＫ」ボタンを押下すると、ＤＳＡ設定画面が閉じられると共に、設定した各補正値が、当該コマ画像３１のＤＳＡとして記憶される。
【発明の開示】
【発明が解決しようとする課題】
【０００９】
ところで、この種の画像処理においては、あるコマ画像に行った補正と同様の補正を他のコマ画像に行うケースが少なくない。このような場合、従来では、図７に示すようなＦＵＮＣＴＩＯＮ画面をいったん開き（ジャッジ画面３０において、「Ｆ」ボタン３５を押下すると表示する）、補正種別（「Ｙ」、「Ｍ」，「Ｃ」、「Ｄ」及びＤＳＡ）毎に各コピー用ボタン（「Ｙ補正コピー」ボタン、「Ｍ補正コピー」ボタン、「Ｃ補正コピー」ボタン、「濃度補正コピー」ボタン及び「ＤＳＡコピー」ボタン）を用いてコピーする必要があった。
【００１０】
また、コピー元のコマ画像以降の連続するコマ画像（例えば、コピー元を”Ｒｅａｌ０１．ＢＭＰ”とすると、”Ｒｅａｌ０２．ＢＭＰ”や”Ｒｅａｌ０２．ＢＭＰ”＋”Ｒｅａｌ０３．ＢＭＰ”等）に対してのみコピー可能であるため、あるコマ画像に行った補正と同様の補正を他の連続してない（当該コマ画像と離れた）コマ画像に行う場合には（例えば、”Ｒｅａｌ０１．ＢＭＰ”に対する”Ｒｅａｌ０３．ＢＭＰ”や”Ｒｅａｌ０４．ＢＭＰ”等）コピー不可となり、当該コマ画像に対しては、色補正ボタンやＤＳＡボタン（ＤＳＡ設定画面）を使用して同一の補正を個別に行う必要があった。
【００１１】
本発明は、上記問題点を解決し、画像データに対する補正作業を迅速に行えることで、作業効率の向上を図れる画像処理装置を提供することを目的とする。
【課題を解決するための手段】
【００１２】
本発明に係る画像処理装置は、記憶手段に記憶している１又は複数の画像データを読み出して１画面上に表示し、該画面を介してユーザが選択した画像データに所望の補正を行える画像処理装置において、それぞれ異なる複数の補正項目からなる補正グループと該補正グループを一意に識別する識別情報とを含むグループ情報を複数有するグループ補正テーブルを備え、前記グループ補正テーブルの所望するグループ情報に係る補正内容を選択した画像データに一括して反映できることを特徴とする。
【００１３】
上記構成の画像処理装置によれば、上記グループ補正テーブルに設定されている所望のグループ情報に係る補正内容を、選択した補正対象となる画像データ（コマ画像）に一括反映できるため、使用頻度の高い補正内容（グループ情報）を予めグループ補正テーブルに設定しておけば、補正に係る作業が迅速にできるようになる。尚、上記補正グループを構成する補正項目の種類や構成数は特に限定されるものではないが、一般的な補正項目、即ち、色濃度補正（「Ｙ」、「Ｍ」、「Ｃ」及び「Ｄ」についての補正）、コントラスト、彩度及びシャープネスの各補正項目で構成されるのが望ましい。また、各グループ情報を、多用される３つの一般的な定型補正（「ストロボシーン」、「逆光シーン」及び「カラーフェリアシーン」）で分類するようにして設定すると、補正作業の効率向上が図れる。
【００１４】
上記グループ情報を一意に識別する識別情報の好適例として、当該画像処理装置が通常備えるキーボード上の操作キーに関する情報（例えば、”Ｓ”、”Ｗ”等）とする態様が想定できる。この場合、上記一括反映に係る操作を当該操作キーを押下するのみ（例えば、”Ｓ”、”Ｗ”等のキーを１回押下するのみ）とすれば、ユーザの使い勝手が良くなり、操作性が向上する。
【００１５】
また、前記グループ補正テーブルの内容を確認できるグループ補正設定画面を表示できる構成とするのが好ましい。更に、各グループ情報を適宜好適なものに維持できるようにするため、前記グループ補正テーブルの各グループ情報に係る補正内容をユーザが適宜変更できる構成とするのが望ましい。
【００１６】
また、上記各グループ情報に係る補正内容の変更には、前記グループ補正設定画面を介して各グループ情報に係る補正内容を各補正項目毎に個別に変更できる構成や、これとは別にあるいは併用して、前記グループ補正テーブルの所望するグループ情報に係る補正内容を選択した画像データに係る補正内容に一括して変更できるとする構成を採用することができる。後者の場合は、例えば、コマ画像に対して施した補正内容を一括してグループ補正テーブルに設定できるため、初回設定の際（例えば、当該画像処理を行うプログラムの起動時等、グループ補正テーブルが初期化されている場合）に便利となる。また、前者の場合は、上記一括設定した後の微調整等をする場合に有用である。
【００１７】
また、前記グループ情報に係る補正内容を一括反映する対象として複数の画像データを選択できる構成とすると、補正に係る作業効率が更に向上する。尚、この場合の複数の画像データ（コマ画像）の選択は、連続配置しているか否かに拘わらず可能となる。具体的には、例えば、補正対象とするコマ画像にマウスカーソルを移動させ、キーボード上のＣｔｒｌキーを押しながら（マウスを）クリックして対象を複数選択するという一般的な方法等を用いる。
【００１８】
また、グループ補正テーブルに設定する各グループ情報の種類によっては使用しない補正項目もあることから、前記グループ補正テーブルは、各グループ情報に係る補正項目それぞれについて有効とするか否かを選択可能に構成されてなる、とするのが好ましい。
【発明の効果】
【００１９】
以上の如く、本発明の画像処理装置によれば、複数の補正項目からなる補正グループを含むグループ情報を複数種類設定して保持できるグループ補正テーブルを備えており、選択した画像データに対して、該グループ補正テーブルの所望のグループ情報に係る補正内容を一括して反映させることのできる構成となっている。従って、補正内容が同一となる画像データに対する補正作業が迅速化でき、作業効率の向上が図れる。
【発明を実施するための最良の形態】
【００２０】
以下、本発明の実施形態に係る画像処理装置について図面を参酌しつつ説明する。
【００２１】
図１は、本実施形態に係る画像処理装置を備えた写真処理装置の外観図であり、図２は、該写真処理装置の内部構成を示すブロック図である。本写真処理装置は、写真フィルムＦやメディアＭから画像データを読み込み、該画像データに対して色濃度補正やコントラスト補正等のデジタル画像処理を施し、出力用の画像データを生成する画像処理装置１と、該画像処理装置１から出力された画像データを基に、感光材料ＰＡに画像をプリントするプリント装置２とで構成されている。
【００２２】
画像処理装置１は、写真フィルムＦから画像を読み取るスキャナ３と、ＣＤ−ＲＯＭやメモリカード等のメディアＭに対して画像データの読み書き可能なメディアドライブ４と、画像処理装置１の制御を含む本写真処理装置全体を制御する主制御装置５と、写真フィルムＦやメディアＭから読み込んだ画像を表示するモニタ６と、ユーザからの操作指令を受け付ける入力装置７を備えている。
【００２３】
主制御装置５は、当該制御、演算の主体であるＣＰＵ８、画像処理用プログラム等が記憶されるＲＯＭ９ａ、処理用のワークエリア等として使用されるＲＡＭ９ｂ及び各種外部装置（スキャナ３、メディアドライブ４、モニタ６及び入力装置７）とのＩ／Ｏ処理を行うＩ／Ｏ処理部１０をその内部に備えている。
【００２４】
プリント装置２は、画像処理装置１によって画像処理された画像データを基に感光材料ＰＡに対して露光処理する露光処理部１１と、露光処理された感光材料ＰＡを現像処理する現像処理部１２と、現像処理された感光材料ＰＡを乾燥処理する乾燥処理部１３と、乾燥処理されて写真となった感光材料ＰＡを仕分処理する仕分処理部１４とで構成されている。
【００２５】
露光処理部１１は、感光材料ＰＡを一対のマガジン１５ａ，１５ｂから引き出し、搬送用ローラ対１６によって下流側に搬送する。そして、ハロゲンランプ等からなる光源１７ａと、該光源１７ａに光ファイバー束１７ｂを介して接続された光シャッター１７ｃとで構成される露光装置１７によって、感光材料ＰＡを露光する。
【００２６】
現像処理部１２は、感光材料ＰＡに対して、現像、漂白、定着、安定化等の処理を行う。
【００２７】
乾燥処理部１３は、現像処理部１２から送られてくる感光材料ＰＡに熱風装置１８からの熱風を吹き付け、感光材料ＰＡに付着した現象液等を乾燥させる処理を行う。
【００２８】
仕分処理部１４は、露光処理、現像処理及び乾燥処理が施された感光材料ＰＡを大小別に仕分けるサイズ仕分部１９と、該サイズ仕分部１９で仕分けされた小さなサイズの感光材料ＰＡをオーダー毎に仕分けるオーダー仕分部２０とを有している。
【００２９】
サイズ仕分部１９は、大きなサイズの感光材料ＰＡをトレー２１に排出し、小さなサイズの感光材料ＰＡをコンベア２２に搬送する。オーダー仕分部２０は、コンベア２２によって搬送されてくる感光材料ＰＡを各受皿２３に対してオーダー毎に振り分ける。
【００３０】
次に、画像処理装置１による画像処理について説明する。まず、主制御装置５のＲＯＭ９ａにインストールされている画像処理プログラムをＣＰＵ８が起動させると、モニタ６に図示しないメイン画面が表示される。ユーザは当該メイン画面にて処理すべき画像データを写真フィルムＦから読み取るか、メディアＭから読み取るかの選択を行う。ここで選択した画像データはＲＡＭ９ｂ（記憶手段）に展開される。
【００３１】
次に、メイン画面上のジャッジ画面切替用ボタンをマウス７ｂ等を用いて選択してクリックすると、メイン画面から図３に示すジャッジ画面３０に切り替わる。該ジャッジ画面３０は、読み込んだ複数（本実施形態においては６枚）のコマ画像３１が、２行×３列で一覧（インデックス）表示されるように構成されている。尚、色補正ボタン３３ｙ，３３ｍ，３３ｃ、濃度補正ボタン３３ｄ及びＤＳＡボタン３４の各機能及びその操作方法については既に説明済みのためここでは省略する。
【００３２】
本発明の本実施形態に係る画像処理装置の画像処理は、複数の異なる補正項目をグループ化して一括した補正処理を行えるという従来にない特徴を有する。本実施形態では、「色濃度補正」、「コントラスト」、「彩度」及び「シャープネス」の各補正項目の組み合わせでグループ化している。ここで、「色濃度補正」とは、「Ｙ」、「Ｍ」、「Ｃ」及び［Ｄ」についての補正を含むものをいう。
【００３３】
そして、このグループ化した情報（レコード）は、所定数（例えば、８レコード）まで扱えるようになっている。具体的には、予め決められた固定の「割り当てキー」（本実施形態では、キーボード７ａ上の「Ａ」、「Ｓ」、「Ｄ」、「Ｆ」、「Ｑ」、「Ｗ」、「Ｅ」及び「Ｒ」）に対応付けされたテーブル（グループ補正テーブル）で管理される。また、グループ補正テーブルの各レコードには、「（グループ）名称」項目が含まれている。この「名称」は、各レコード（グループ）をユーザが判別できるようにユーザによって任意に設定することができる。
【００３４】
グループ補正テーブルは、予めＲＯＭ９ａに記憶され（この時点では、各割り当てキーに対応するグループ及び名称は空の状態（デフォルト状態）である）、画像処理プログラムの起動と共にＲＡＭ９ｂに展開する仕様としても良い。あるいは、初めから図示しないフラッシュメモリ等の不揮発性メモリに常駐させる仕様でも良い。後者の場合は、プログラム終了（あるいは写真処理装置の電源ＯＦＦ）後においても、ユーザの設定値が保持される。
【００３５】
次に、このグループ化補正処理の手順について具体的に説明する。図４は、本実施形態によるグループ補正設定画面である。グループ補正設定画面には、現在のグループ補正テーブルの設定内容が表示される。各補正項目には、チェックボックスが設けられ、当該補正項目が有効であるかどうかを識別している（チェックがあると、その項目が有効であることを示す）。また、「色濃度補正」項目において、「Ｙ」、「Ｍ」、「Ｃ」及び「Ｄ」それぞれに隣接して表示される数値（”０”や”＋１”）は、それぞれの補正値を示している。また、「コントラスト」、「彩度」及び「シャープネス」の各項目において表示される数値もそれぞれの補正値を示している。
【００３６】
また、ユーザは、グループ補正設定画面を使用して、グループ補正テーブルの内容（本実施形態では、「割り当てキー」を除く全ての項目の内容）を変更することもできる。具体的には、設定を変更したいレコード（あるいは各項目）にカーソルを移動させる等して該当項目を選択し、キーボード７ａやマウス７ｂを使用することで、チェックボックス、グループ名称又は補正値の入力等が可能となる。
【００３７】
上記グループ補正設定画面上での変更後、「ＹＥＳ．ＯＫ」ボタンを押下すると、変更した名称、補正値等がグループ補正テーブルに反映されると共にグループ補正設定画面が閉じられる。一方、「ＮＯ．キャンセル」ボタンを押下すると、当該画面上の変更がグループ補正テーブルに反映されずにグループ補正設定画面が閉じられる。
【００３８】
尚、グループ補正設定画面は、図５に示すＦＵＮＣＴＩＯＮ画面に設けられた「グループ補正設定」ボタン５１を押下することで表示される（ＦＵＮＣＴＩＯＮ画面は、図３のジャッジ画面３０において、「Ｆ」ボタン３５を押下すると表示する）。
【００３９】
以上のようなグループ補正設定画面上でグループ補正テーブルの内容を変更できるが、更に、図３のジャッジ画面３０上においてもグループ補正テーブルの内容を変更することが可能である。かかる変更方法について説明すると、先ず、対象となるコマ画像３１（例えば、Ｒｅａｌ０１．ＢＭＰ）上に、マウスカーソル（ポインタＰ）を移動させ、クリックすることで、当該コマ画像３１を選択状態とする。そして、変更したいグループ情報（例えば、カラーフェリア設定３）に対応する割り当てキー（例えば、”Ｗ”）に係る操作を行うことで、Ｒｅａｌ０１．ＢＭＰに施した補正内容が、カラーフェリア設定３の各補正項目に一括して反映される。ここで、「割り当てキーに係る操作」には、ごく簡単な操作、例えば、Ｓｈｉｆｔキーと割り当てキー（ここでは”Ｗ”）を同時に押下する操作やマウスの右クリックで割り当てキーが一覧表示され、そこから該当するキー（ここでは”Ｗ”）を選択する操作等が該当する。
【００４０】
上記の如く簡単な操作で当該コマ画像３１（Ｒｅａｌ０１．ＢＭＰ）の補正内容（「Ｙ」０、「Ｍ」０、「Ｃ」−１、「Ｄ」０及びＤＳＡの内容）が、カラーフェリア設定３の各補正項目に即座に一括反映されるが、図４で示されるように、カラーフェリア設定３においては、「コントラスト」及び「シャープネス」の各項目にチェックがされてないため、該２つの項目については変更対象とならない。この場合、当該変更操作に先んじて、グループ補正設定画面を開き、カラーフェリア設定３の「コントラスト」及び「シャープネス」の各項目にチェックを付加して有効にしておけば、当該変更の際、「コントラスト」及び「シャープネス」の両項目についても変更対象とすることができる。尚、これとは別に、チェックの有無に拘わらず全ての項目を変更対象とする仕様としても良い。この場合、チェックがされていない項目については、当該変更の際、自動的にチェックが付加されることになる。
【００４１】
次に、グループ補正テーブルの内容をコマ画像３１に反映させる方法について説明する。先ず、補正対象となるコマ画像３１（例えば、Ｒｅａｌ０４．ＢＭＰ）上に、マウスカーソル（ポインタＰ）を移動させ、クリックすることで、当該コマ画像３１を選択状態とする。ここで、反映したいグループ情報（例えば、逆光設定２）に対応する割り当てキー（例えば、”Ｒ”）を押下すると、逆光設定２の各補正項目の内容がＲｅａｌ０４．ＢＭＰに一括して反映される。尚、この場合、図４で示されるように、逆光設定２においては、「彩度」及び「シャープネス」の各項目にチェックがされてないため、該２つの項目については反映対象とならず、Ｒｅａｌ０４．ＢＭＰの「彩度」及び「シャープネス」については、当該反映前の補正値が維持される。
【００４２】
また、グループ補正テーブルの内容を複数のコマ画像３１に反映させることも可能である。この場合は、補正対象とするコマ画像３１にマウスカーソルを移動させ、キーボード上のＣｔｒｌキーを押しながら（マウスを）クリックして対象を選択することで、複数のコマ画像３１を選択状態とし、上記同様に反映したいグループ情報に対応する割り当てキーを押下してやれば、選択した複数のコマ画像３１に当該グループ情報に係る補正内容が一括反映される。
【００４３】
以上のように、本実施形態に係る画像処理装置によれば、「色濃度補正」、「コントラスト」、「彩度」及び「シャープネス」の各項目からなるグループをキーボード上のキー情報に対応付けて複数種類設定して保持できるグループ補正テーブルを備え、該グループ補正テーブルに設定されている所望のグループに係る補正内容を、選択した補正対象となるコマ画像に一括反映できる構成となっているため、補正内容が同一となるコマ画像に対する補正作業が迅速化でき、作業効率の向上が図れる。
【００４４】
尚、本発明に係る画像処理装置は、上記実施形態に限定されるものではなく、本発明の要旨を逸脱しない範囲で種々の変更が可能である。
【００４５】
例えば、上記実施形態では、グループ化する補正項目を「色濃度補正」、「コントラスト」、「彩度」及び「シャープネス」の４項目としたが、これに限定されず、様々な補正項目の種類の組み合わせが可能である。
【００４６】
また、上記実施形態では、割り当てキーは予め固定されているが、ユーザが任意に変更あるいは追加できる仕様としても構わない。
【図面の簡単な説明】
【００４７】
【図１】本発明の一実施形態に係る画像処理装置を備えた写真処理装置の外観図である。
【図２】同実施形態に係る写真処理装置の概略構成図である。
【図３】同実施形態おいて、モニタに表示されたジャッジ画面の一例を示す図である。
【図４】同実施形態おいて、モニタに表示されたグループ補正設定画面の一例を示す図である。
【図５】同実施形態おいて、モニタに表示されたＦＵＮＣＴＩＯＮ画面の一例を示す図である。
【図６】モニタに表示されたＤＳＡ設定画面の一例を示す図である。
【図７】従来の画像処理装置において、モニタに表示されたＦＵＮＣＴＩＯＮ画面の一例を示す図である。
【符号の説明】
【００４８】
１…画像処理装置、２…プリント装置、３…スキャナ、４…メディアドライブ、５…主制御装置、６…モニタ、７…入力装置、８…ＣＰＵ、９ａ…ＲＯＭ、９ｂ…ＲＡＭ、１０…Ｉ／Ｏ処理部、１１…露光処理部、１２…現像処理部、１３…乾燥処理部、１４…仕分処理部、１５ａ，１５ｂ…マガジン、１６…搬送用ローラ対、１７…露光装置、１７ａ…光源、１７ｂ…光ファイバー束、１７ｃ…光シャッター、１８…熱風装置、１９…サイズ仕分部、２０…オーダー仕分部、２１…トレー部、２２…コンベア、３０…ジャッジ画面、３１…コマ画像、３２…補正ボタンエリア、３３ｙ，３３ｍ，３３ｃ…色補正ボタン、３３ｄ…濃度補正ボタン、３４…ＤＳＡボタン、３５…Ｆボタン、５１…グループ補正設定ボタン
【図１】
2005333230.tif 000003
【図２】
2005333230.tif 000004
【図３】
2005333230.tif 000005
【図４】
2005333230.tif 000006
【図５】
2005333230.tif 000007
【図６】
2005333230.tif 000008
【図７】
2005333230.tif 000009